(57)【特許請求の範囲】
【請求項１】
被写体像を撮影するカメラ部と、このカメラ部によって撮影した被写体像をテープカセットに収納された磁気テープに動画として記録し再生するデッキ部と、前記カメラ部によって撮影した被写体像を着脱自在のメモリカードに静止画または動画として記録し再生するカード記録再生部とを備えたビデオカメラにおいて、
前記デッキ部に、前記カード記録再生部に装填される個々のメモリカードの固有番号であるカードＩＤを前記磁気テープに記録し再生するカードＩＤ記録再生手段と、前記個々のメモリカード毎に対し、前記デッキ部に装填される個々のテープカセット毎に割り付けられたテープＩＤを前記磁気テープに記録し再生するテープＩＤ記録再生手段とを設け、
前記カード記録再生部に、前記メモリカードに前記テープＩＤ毎のフォルダを作成するフォルダ作成手段と、前記デッキ部によって動画を記録する際の記録開始時の映像を検索用のサムネイル画像として前記フォルダ内に記録し再生するサムネイル画像記録再生手段と、前記記録開始時の前記磁気テープの位置情報を前記サムネイル画像に対応させて記録し再生するテープ位置情報記録再生手段とを設け、
さらに、前記メモリカードにおける前記デッキ部に装填されたテープカセットのテープＩＤに対応したフォルダより１または複数のサムネイル画像を表示させるサムネイル画像表示制御手段と、
前記１または複数のサムネイル画像の１つを選択する選択手段と、
前記選択手段によって選択されたサムネイル画像に対応した前記磁気テープの位置情報を基にして、前記磁気テープを頭出しする頭出し制御手段とを設けて構成したことを特徴とするビデオカメラ。
【請求項２】
前記カードＩＤは、前記メモリカードの製造番号の少なくとも一部であることを特徴とする請求項１記載のビデオカメラ。
【発明の詳細な説明】
【０００１】
【発明の属する技術分野】
本発明は、カメラによって映像を撮影して磁気テープに記録するビデオカメラに係り、特に、磁気テープに記録した映像をすばやく検索することができるビデオカメラに関する。
【０００２】
【従来の技術】
磁気テープを用いて情報を記録再生する磁気記録再生装置においては、記録した情報（番組）の検索を容易にするための種々の提案がなされている。一例として、特開平７−５７４４０号公報には、着脱自在のＩＣメモリカードを用いてテープカセットの検索情報を記録することが記載されている。カメラによって映像を撮影して磁気テープに記録し再生するビデオカメラにおいても、この種の検索方法を採用することにより、磁気テープに記録した映像の検索を容易に行うことが可能となる。
【０００３】
【発明が解決しようとする課題】
ビデオカメラにおいて、着脱自在のＩＣメモリカードに、磁気テープに記録した映像の検索情報を記録するよう構成した場合、メモリカードの容量は限られていることから、メモリカードを交換した場合に、メモリカードと検索情報とをどのように対応付けるかが問題となる。
【０００４】
本発明はこのような問題点に鑑みなされたものであり、メモリカードを交換した場合でも、メモリカードと磁気テープの検索情報とを対応させることができ、磁気テープに記録した映像をすばやく検索することができるビデオカメラを提供することを目的とする。
【０００５】
【課題を解決するための手段】
本発明は、上述した従来の技術の課題を解決するため、被写体像を撮影するカメラ部（１〜３）と、このカメラ部によって撮影した被写体像をテープカセットに収納された磁気テープ（１１）に動画として記録し再生するデッキ部（７〜１０）と、前記カメラ部によって撮影した被写体像を着脱自在のメモリカード（１６）に静止画または動画として記録し再生するカード記録再生部（１２〜１５）とを備えたビデオカメラにおいて、前記デッキ部に、前記カード記録再生部に装填される個々のメモリカードの固有番号であるカードＩＤを前記磁気テープに記録し再生するカードＩＤ記録再生手段と、前記個々のメモリカード毎に対し、前記デッキ部に装填される個々のテープカセット毎に割り付けられたテープＩＤを前記磁気テープに記録し再生するテープＩＤ記録再生手段とを設け、前記カード記録再生部に、前記メモリカードに前記テープＩＤ毎のフォルダを作成するフォルダ作成手段と、前記デッキ部によって動画を記録する際の記録開始時の映像を検索用のサムネイル画像として前記フォルダ内に記録し再生するサムネイル画像記録再生手段と、前記記録開始時の前記磁気テープの位置情報を前記サムネイル画像に対応させて記録し再生するテープ位置情報記録再生手段とを設け、さらに、前記メモリカードにおける前記デッキ部に装填されたテープカセットのテープＩＤに対応したフォルダより１または複数のサムネイル画像を表示させるサムネイル画像表示制御手段（４，５，１７，１８）と、前記１または複数のサムネイル画像の１つを選択する選択手段（６）と、前記選択手段によって選択されたサムネイル画像に対応した前記磁気テープの位置情報を基にして、前記磁気テープを頭出しする頭出し制御手段（５，８）とを設けて構成したことを特徴とするビデオカメラを提供するものである。
【０００６】
【発明の実施の形態】
以下、本発明のビデオカメラについて、添付図面を参照して説明する。図１は本発明のビデオカメラの一実施例を示すブロック図、図２は本発明のビデオカメラの一実施例を示す部分ブロック図、図３〜図５は本発明のビデオカメラの動作を説明するための図である。
【０００７】
＜動画記録再生動作＞
まず、図１を用いて、カメラにて撮影した動画像を磁気テープに記録したり、磁気テープに記録した動画像を再生する記録再生動作について説明する。なお、図１において、白抜き矢印は映像信号の流れを示しており、実線の矢印は制御信号の流れを示している。図１では、音声信号の流れについては図示を省略している。レンズ１から入来した被写体像は、電荷結合素子（ＣＣＤ）２に結像する。ＣＣＤ２より出力された撮影画像はＡ／Ｄ変換器３によってデジタル信号に変換され、画像処理ＤＳＰ４に入力される。ＤＳＰは、デジタルシグナルプロセッサの略称である。レンズ１〜Ａ／Ｄ変換器３は、カメラ部ＣＭを構成している。
【０００８】
操作部６によって動画記録（録画）の指示がなされると、その指示信号は中央処理マイコン５に入力される。中央処理マイコン５は、ビデオカメラ全体を制御する制御部である。中央処理マイコン５は、画像処理ＤＳＰ４及びデッキ制御マイコン８に動画記録の指示がなされたことを示す制御信号を供給する。デッキ制御マイコン８は、磁気テープ１１への情報の記録再生を行うデッキ部ＤＫを制御する制御部である。
【０００９】
画像処理ＤＳＰ４は、Ａ／Ｄ変換器３より入力されたデジタル信号を、輝度（Ｙ）信号及び色差（Ｒ−Ｙ，Ｂ−Ｙ）信号に変換すると共に、ＡＧＣ（自動ゲイン制御），ガンマ補正，セットアップ等の各種の信号処理を施して、ＤＶ信号処理ＤＳＰ７に入力する。本実施例では、ＤＶ規格に基づいたビデオカメラを例にしているが、これに限定されるものではない。ＤＶ信号処理ＤＳＰ７は、入力された信号に圧縮処理やシャフリング処理等を施すと共に、トラッキング情報，サブコードエリアの情報，オーディオ記録形式の情報，タイムコード，日時情報等の各種の制御データを加え、ＤＶフォーマット信号としてプレレコーディングアンプ９に入力する。
【００１０】
プレレコーディングアンプ９は、入力された信号をＮＲＺＩ変調して複数個のヘッド１０に供給する。ヘッド１０は、図示していない回転ドラムに搭載されたものであり、ここでは簡略化のため、ヘッド１０を１つしか図示していない。ヘッド１０に供給された信号は、回転ドラムに巻き付けられた磁気テープ１１上に、トラック１１ａとして順次記録される。ＤＶ信号処理ＤＳＰ７〜ヘッド１０は、デッキ部ＤＫを構成している。
【００１１】
一方、操作部６によって、磁気テープ１１に記録された情報の再生の指示がなされると、ヘッド１０からの信号はプレレコーディングアンプ９で増幅されてＤＶ信号処理ＤＳＰ７に入力される。ＤＶ信号処理ＤＳＰ７は、入力された信号に伸長処理やデシャフリング処理等を施して画像処理ＤＳＰ４に供給すると共に、上記の各種の制御データをデッキ制御マイコン８に供給する。画像処理ＤＳＰ４は、Ｙ信号及びＲ−Ｙ，Ｂ−Ｙ信号をＹ信号と色（Ｃ）信号のコンポーネント信号あるいはコンポジット信号に変換して、Ｄ／Ａ変換器１７に入力する。
【００１２】
Ｄ／Ａ変換器１７は、入力信号をアナログ信号に変換し、ＡＶ出力部１８は、映像信号及び音声信号を出力する。デッキ制御マイコン８に入力された制御データは、中央処理マイコン５に入力される。制御データの内、タイムコードや日時情報等は表示情報として画像処理ＤＳＰ４に入力され、映像信号に重畳される。
【００１３】
＜静止画記録再生動作＞
本発明のビデオカメラにおいては、操作部６によって動画記録の指示がなされた際、撮影した初期画像（記録開始時の映像）を静止画としてメモリカード１６に記録するようにしている。前述のように、操作部６より動画記録の指示信号が中央処理マイコン５に入力されると、中央処理マイコン５は、静止画記録再生制御マイコン１４に静止画記録を行うよう制御信号を供給する。静止画記録再生制御マイコン１４は、メモリカード１６への静止画の記録再生を行う静止画記録再生部ＳＣを制御する制御部である。
【００１４】
画像処理ＤＳＰ４で生成したＹ信号及びＲ−Ｙ，Ｂ−Ｙ信号は、静止画ＤＳＰ１２に入力される。静止画ＤＳＰ１２に入力された映像信号は一旦ＳＤＲＡＭ１３に蓄えられ、静止画ＤＳＰ１２は、ＳＤＲＡＭ１３からの映像信号にＪＰＥＧ圧縮処理を施し、Ｒ，Ｇ，Ｂ信号として静止画記録再生制御マイコン１４に供給する。静止画記録再生制御マイコン１４は、インタフェース（Ｉ／Ｆ）部１５を介して、メモリカード１６にＪＰＥＧの静止画ファイルを書き込む。静止画ＤＳＰ１２〜Ｉ／Ｆ部１５は、静止画記録再生部ＳＣを構成している。
【００１５】
一方、操作部６によって、メモリカード１６に記録された静止画の再生の指示がなされると、静止画ファイルは、Ｉ／Ｆ部１５及び静止画記録再生制御マイコン１４を介して静止画ＤＳＰ１２に入力される。静止画ＤＳＰ１２に入力された静止画は一旦ＳＤＲＡＭ１３に蓄えられ、静止画ＤＳＰ１２は、ＳＤＲＡＭ１３からの静止画にＪＰＥＧ伸長処理を施し、画像処理ＤＳＰ４に入力する。画像処理ＤＳＰ４は、静止画のＹ，Ｃ信号をＤ／Ａ変換器１７に入力する。Ｄ／Ａ変換器１７は、入力信号をアナログ信号に変換し、ＡＶ出力部１８は、静止画の映像信号を出力する。
【００１６】
静止画の画像サイズや日時情報等の各種の制御データは、静止画ＤＳＰ１２から静止画記録再生制御マイコン１４へと戻される。静止画記録再生制御マイコン１４に入力された制御データは、中央処理マイコン５に入力される。制御データの内、日時情報等は表示情報として画像処理ＤＳＰ４に入力され、映像信号に重畳される。以上の静止画は、後に詳述するように、メモリカード１６に記録した静止画を磁気テープ１１に記録した映像を検索するためのサムネイル画像として用いる場合に再生される。
【００１７】
ところで、近年、ビデオカメラにおいては、メモリカードを搭載し、そのメモリカードに静止画（もしくは圧縮した動画）を記録してデジタルスチルカメラとして用いることが一般的となっている。本実施例では、磁気テープ１１に記録した映像を検索するためのサムネイル画像としての静止画を記録するメモリカード１６を、検索用サムネイル画像を記録するため専用として用いている。通常の静止画を記録するメモリカードも搭載する場合には、メモリカードの挿入口を２つ設け、図２に示すように、メモリカード１６を検索用サムネイル画像の記録専用として用い、メモリカード１６′を通常の静止画記録用として用いる。
【００１８】
静止画記録再生制御マイコン１４は、上記のように、撮影した動画の初期画像を静止画としてＩ／Ｆ部１５を介してメモリカード１６に記録する。ビデオカメラをデジタルスチルカメラとして用いるため、通常の静止画を記録する場合には、通常の静止画を、Ｉ／Ｆ部１５′を介してメモリカード１６′に記録する。
【００１９】
＜磁気テープ検索情報記録動作＞
本発明のビデオカメラにおいては、テープカセット毎にテープＩＤとテープ番号を割り付け、メモリカード１６にテープＩＤ毎にフォルダを作成し、上述したサムネイル画像としての静止画をそのフォルダ内に記録する。また、磁気テープ１１には、テープＩＤと、メモリカード１６の固有番号（カードＩＤ）を記録する。マルチメディアカード等のメモリカードは製造番号を有しており、その製造番号は読み出し可能である。本実施例では、メモリカード１６のカードＩＤとして製造番号の少なくとも一部を用いる。本実施例では、好ましい実施形態として、製造番号の下４桁をそのまま用いる。下４桁程度を用いれば、ＩＤとして十分である。
【００２０】
電源投入時、中央処理マイコン５（静止画記録再生制御マイコン１４）は、メモリカード１６から使用済みの最大テープＩＤと使用済み最大テープ番号とカードＩＤを読み出す。テープカセットが装填されたら、中央処理マイコン５（デッキ制御マイコン８）は、磁気テープ１１を少し巻き戻し、磁気テープ１１に書き込まれているテープＩＤとカードＩＤを読み取る。テープＩＤまたはカードＩＤが読み取れなかった場合には、新規のテープカセットであると判断して、最大テープＩＤ＋１をそのテープカセットのテープＩＤとして割り付ける。そして、中央処理マイコン５（静止画記録再生制御マイコン１４）は、メモリカード１６にそのテープＩＤのフォルダを作成する。
【００２１】
図３では、一例として、フォルダ１６Ｆ１，１６Ｆ２を作成した例を示している。フォルダ１６Ｆ１はテープＩＤ０００１のフォルダであり、フォルダ１６Ｆ２はテープＩＤ０００２のフォルダである。ここでは、それぞれのフォルダ１６Ｆ１，１６Ｆ２内に、サムネイル画像ＴＮを記録した状態を示している。これについては、後述する。なお、テープＩＤは、個々のメモリカード１６毎（カードＩＤ毎）に対し、個々のテープカセット毎に割り付けられたものである。よって、カードＡに対する１番，２番，３番…、カードＢに対する１番，２番，３番…の如くである。１つのテープカセットに対し、複数のメモリカード１６のカードＩＤとテープＩＤが記録されることがあり得る。
【００２２】
また、メモリカード１６には、テープＩＤとテープ番号とを対応させたテーブル１６Ｔが書き込まれている。磁気テープ１１より読み取ったカードＩＤとメモリカード１６から読み取ったカードＩＤとが一致したら、中央処理マイコン５は、磁気テープ１１より読み取ったテープＩＤに対応するテープ番号をテーブル１６Ｔより読み出す。新規のテープカセットであれば、最大テープ番号＋１をそのテープカセットのテープ番号として割り付け、テーブル１６Ｔに書き込む。図３の例では、テープＩＤ００１０のテープ番号が２であり、テープＩＤ０００２のテープ番号と同じとなっている。この理由については後述する。
【００２３】
上述のように、操作部６によって動画記録の指示がなされたら、撮影開始時の画像より、例えば水平１６０画素×垂直１２０画素程度のサムネイル画像ＴＮを生成する。磁気テープ１１のテープＩＤが０００１であるとすると、静止画記録再生制御マイコン１４は、図３に示すように、そのテープＩＤ０００１のフォルダ１６Ｆ１内にサムネイル画像ＴＮを書き込む。デッキ制御マイコン８が管理する磁気テープ１１の位置情報（タイムコード）は、中央処理マイコン５を介して静止画記録再生制御マイコン１４へと入力され、撮影開始時のタイムコードＴＣは、サムネイル画像ＴＮと対応付けて書き込まれる。なお、磁気テープ１１のトラック１１ａにおけるサブコードエリア１１a1には、テープＩＤとカードＩＤが継続的に（例えば全トラックに）書き込まれる。
【００２４】
以上のタイムコードＴＣを付加したサムネイル画像ＴＮの記録は、録画を開始する毎に行われる。なお、録画の開始時とは、カメラ部ＣＭからの映像を入力した状態で、録画を一時的に停止させた録画待機の状態から録画を開始する場合であってもよく、カメラ部ＣＭからの映像を遮断し、録画を完全に停止させた録画停止の状態から録画を開始する場合であってもよい。なお、前者は、サムネイル画像ＴＮがかなり多く生成されることになるので、後者の方が好ましいと言える。メモリカード１６を８Ｍバイトとし、１枚のサムネイル画像ＴＮを２ｋバイトとすると、４０００シーン程度の管理が可能となる。１つのテープカセットで２０シーンを記録したとすると、２００本程度の管理が可能となる。
【００２５】
ここで、複数のテープＩＤに対して同一のテープ番号が付与されている理由について説明する。上記のように、テープＩＤまたはカードＩＤが読み取れなかった場合には、新規のテープカセットであると判断して、新たなテープＩＤが付与される。例えば、使用済みのテープカセットでも、録画を終了させた直後から新たな録画を開始しない場合には、新規のテープカセットであると判断される可能性がある。この場合、そのテープカセットの磁気テープ１１には、新たにテープＩＤが割り付けられ、そのテープＩＤに対応して新たにテープ番号が割り付けられる。この状態では、１つのテープカセットに２つのテープＩＤとテープ番号が存在することとなる。
【００２６】
例えば、そのテープカセットの磁気テープ１１を再生した際、１つのテープカセットに複数のテープＩＤが存在することが判明した場合には、中央処理マイコン５（静止画記録再生制御マイコン１４）は、１つのテープＩＤのフォルダに他のテープＩＤのフォルダのサムネイル画像ＴＮを移動させる。図４において、テープＩＤ０００２のフォルダ１６Ｆ２と、テープＩＤ００１０のフォルダ１６Ｆ１０とは、同一のテープカセットの磁気テープ１１に対して生成されたものとする。静止画記録再生制御マイコン１４は、例えば、テープＩＤ００１０のフォルダ１６Ｆ１０内のサムネイル画像ＴＮを、テープＩＤ０００２のフォルダ１６Ｆ２へと移動させる。
【００２７】
そして、テーブル１６ＴにおけるテープＩＤ００１０のテープ番号を２に書き換え、テープ番号２に対するテープＩＤ０００２とテープＩＤ００１０とをリンクさせる。本実施例では、記録日時の早いテープＩＤの小さい方のフォルダ１６Ｆ２にフォルダ１６Ｆ１０内のサムネイル画像ＴＮを集約させているが、これに限定されるものではない。このようにすると、無駄なフォルダをなくすことができ、検索の際の制御も容易となる。
【００２８】
＜テープ頭出し動作＞
上記のように、テープカセットが装填されたら、中央処理マイコン５（デッキ制御マイコン８）は、磁気テープ１１を少し巻き戻し、磁気テープ１１に書き込まれているテープＩＤとカードＩＤを読み取る。これにより、装填されたテープカセットのテープＩＤが判明する。メモリカード１６のカードＩＤと磁気テープ１１より読み取ったカードＩＤとが一致すれば、テープＩＤに対応したフォルダから検索用のサムネイル画像ＴＮを読み出すことができる。
【００２９】
操作部６における検索を指示するスイッチの操作に応じて、テープＩＤに対応したフォルダから検索用のサムネイル画像ＴＮを１または複数（例えば６つ程度）読み出す。例えば、テープＩＤが０００１であるとすると、ＡＶ出力部１８からは図５に示すようなサムネイル画像ＴＮが番号と共に出力される。なお、サムネイル画像ＴＮに付した番号はサムネイル画像ＴＮを選択するために便宜上設けたものである。初期状態のカーソル（番号に網掛けにて表示）は、１番目のサムネイル画像ＴＮに位置している。検索用のサムネイル画像ＴＮがさらに多く記憶されている場合には、ページ送りにより順次サムネイル画像ＴＮを表示させればよい。
【００３０】
頭出ししたいサムネイル画像ＴＮにカーソルを移動させ、スイッチを押す等して、頭出しするサムネイル画像ＴＮを決定する。静止画記録再生制御マイコン１４は、選択されたサムネイル画像ＴＮに付加されたタイムコードＴＣを読み出す。読み出されたタイムコードＴＣは、中央処理マイコン５に入力され、磁気テープ１１の現在位置と比較される。中央処理マイコン５は、頭出しするテープ位置が現在位置より前であれば巻き戻し、現在位置より後であれば早送りするよう、デッキ制御マイコン８に制御信号を供給する。これにより、選択されたサムネイル画像ＴＮに対応した動画が再生される。
【００３１】
なお、画像処理ＤＳＰ４，中央処理マイコン５，Ｄ／Ａ変換器１７，ＡＶ出力部１８は、サムネイル画像表示制御手段を構成している。操作部６は、１または複数のサムネイル画像ＴＮの１つを選択する選択手段を構成している。中央処理マイコン５，デッキ制御マイコン８は、磁気テープ１１を頭出しする頭出し制御手段を構成している。
【００３２】
本実施例では、サムネイル画像ＴＮを静止画としたが、動画であってもよい。静止画記録再生部ＳＣは、複数の静止画を順次切り換えることにより、動画を記録再生することができる。サムネイル画像ＴＮとしての動画は、撮影開始時の画像の一部でよい。
【００３３】
【発明の効果】
以上詳細に説明したように、本発明のビデオカメラは、デッキ部に、カード記録再生部に装填される個々のメモリカードの固有番号であるカードＩＤを磁気テープに記録し再生するカードＩＤ記録再生手段と、個々のメモリカード毎に対し、デッキ部に装填される個々のテープカセット毎に割り付けられたテープＩＤを磁気テープに記録し再生するテープＩＤ記録再生手段とを設け、カード記録再生部に、メモリカードにテープＩＤ毎のフォルダを作成するフォルダ作成手段と、デッキ部によって動画を記録する際の記録開始時の映像を検索用のサムネイル画像としてフォルダ内に記録し再生するサムネイル画像記録再生手段と、記録開始時の磁気テープの位置情報をサムネイル画像に対応させて記録し再生するテープ位置情報記録再生手段とを設け、さらに、メモリカードにおけるデッキ部に装填されたテープカセットのテープＩＤに対応したフォルダより１または複数のサムネイル画像を表示させるサムネイル画像表示制御手段と、１または複数のサムネイル画像の１つを選択する選択手段と、選択手段によって選択されたサムネイル画像に対応した磁気テープの位置情報を基にして、磁気テープを頭出しする頭出し制御手段とを設けて構成したので、メモリカードを交換した場合でも、メモリカードと磁気テープの検索情報とを対応させることができ、磁気テープに記録した映像をすばやく検索することができる。
【図面の簡単な説明】
【図１】本発明の一実施例を示すブロック図である。
【図２】本発明の一実施例を示す部分ブロック図である。
【図３】本発明の動作を説明するための図である。
【図４】本発明の動作を説明するための図である。
【図５】本発明の動作を説明するための図である。
【符号の説明】
１  レンズ
２  電荷結合素子
３  Ａ／Ｄ変換器
４  画像処理ＤＳＰ
５  中央処理マイコン
６  操作部
７  ＤＶ信号処理ＤＳＰ
８  デッキ制御マイコン
９  プレレコーディングアンプ
１０  ヘッド
１１  磁気テープ
１２  静止画ＤＳＰ
１３  ＳＤＲＡＭ
１４  静止画記録再生制御マイコン
１５  インタフェース部
１６  メモリカード
１７  Ｄ／Ａ変換器
１８  ＡＶ出力部
ＣＭ  カメラ部
ＤＫ  デッキ部
ＳＣ  静止画記録再生部（カード記録再生部）
【図１】
0003815223.tif 000002
【図２】
0003815223.tif 000003
【図３】
0003815223.tif 000004
【図４】
0003815223.tif 000005
【図５】
0003815223.tif 000006